(57)【要約】【課題】ＵＳＢインタフェースを有する監視装置に関し、簡単な構成により、各種電子機器を被監視機器として監視する。【解決手段】各種電子機器を被監視機器２とし、そのＵＳＢインタフェース３を介して接続する監視装置１であって、被監視機器２のＵＳＢインタフェース３と接続するＵＳＢインタフェース４と、このＵＳＢインタフェース４を介して被監視機器２から充電され、内部に動作電力を供給するバッテリ６と、被監視機器２のＵＳＢインタフェース３を介してバッテリ６を充電する電圧が設定値以下に低下する等の異常を検出する電圧検出部５と、保守者又は保守センタとの間の通信を可能とする無線送受信部９と、電圧検出部５による電圧異常検出時に、無線送受信部９から被監視機器２の異常発生メッセージを送信する制御を行う制御部７とを含む構成を有するものである。【選択図】図１
2009042872.tif 000002
【特許請求の範囲】
【請求項１】
被監視機器のＵＳＢインタフェースを介して接続する監視装置に於いて、
前記被監視機器の前記ＵＳＢインタフェースと接続するＵＳＢインタフェースと、
該ＵＳＢインタフェースを介して前記被監視機器から充電され、内部に動作電力を供給するバッテリと、
前記被監視機器の前記ＵＳＢインタフェースを介して前記バッテリを充電する電圧の異常を検出する電圧検出部と、
保守者又は保守センタとの間の通信を可能とする無線送受信部と、
前記電圧検出部による電圧異常検出時に、前記無線送受信部から前記被監視機器の異常発生メッセージを送信する制御を行う制御部と
を備えたことを特徴とする監視装置。
【請求項２】
被監視機器のＵＳＢインタフェースを介して接続する監視装置に於いて、
前記被監視機器の前記ＵＳＢインタフェースと接続するＵＳＢインタフェースと、
該ＵＳＢインタフェースを介して前記被監視機器から充電され、内部に動作電力を供給するバッテリと、
前記被監視機器の前記ＵＳＢインタフェースを介して前記バッテリを充電する電圧の異常を検出する電圧検出部と、
保守者又は保守センタとの間の通信を可能とする無線送受信部と、
前記被監視機器と前記ＵＳＢインタフェースを介して所定時間間隔で通信可能か否かを検出する信号検出部と、
前記電圧検出部による電圧異常検出時及び前記信号検出部による所定時間間隔の通信が不可能の異常検出時に、前記無線送受信部から前記被監視機器の異常発生メッセージを送信する制御を行う制御部と
を備えたことを特徴とする監視装置。
【請求項３】
前記制御部は、前記電圧検出部又は前記信号検出部による異常検出時に異常発生メッセージを送信した後の異常回復時に、復旧メッセージを送信する機能を備えていることを特徴とする請求項１又は２記載の監視装置。
【請求項４】
前記無線送受信部から前記保守者又は保守センタへメッセージを送信する宛先情報を保持した記憶部を備えていることを特徴とする請求項１〜３の何れか１項記載の監視装置。
【請求項５】
前記被監視機器の保守点検時に操作して前記保守者又は保守センタへのメッセージ送信制御を停止するスイッチを設けたことを特徴とする請求項１〜４の何れか１項記載の監視装置。
【発明の詳細な説明】
【技術分野】
【０００１】
本発明は、ＵＳＢ（Ｕｎｉｖｅｒｓａｌ  Ｓｅｒｉａｌ  Ｂｕｓ）インタフェースを有する各種の電子機器を監視する為の監視装置に関する。
【背景技術】
【０００２】
各種の電子機器の動作状態を監視して、異常を検出した場合に、保守者等に異常発生を通知するシステムが知られている。又電子機器を接続して各種データを転送し、且つ小容量の電力供給も可能のＵＳＢインタフェースが各種の電子機器に適用されており、規格としてのＵＳＢ１．１は１２Ｍｂｐｓの最大伝送速度であり、又ＵＳＢ２．０は４８０Ｍｂｐｓの最大伝送速度となっており、ＵＳＢメモリ等のＵＳＢコネクタと一体形式のメモリ等も知られている。又現用予備の二重化構成のプロセッサと、プリンタ等の各種周辺機器との間を、ＵＳＢインタフェースを有する監視ユニットを介して接続し、各種周辺機器を現用プロセッサにより監視ユニットを介して制御し、監視ユニットは、現用プロセッサと予備プロセッサとから一定周期のデータ転送要求信号を受信できる場合は何れも正常と判定し、例えば、現用プロセッサからの一定周期のデータ転送要求信号を受信できない場合は、現用プロセッサの異常と判定して、各種周辺機器を予備プロセッサに切替える監視手段が提案されている（例えば、特許文献１参照）。
【０００３】
又ＵＳＢインタフェースにより接続可能とし、プロセッサからの電源供給と信号線のアクティブ状態とを監視して、周辺機器に対する電源供給を制御する手段が提案されている（例えば、特許文献２参照）。又ＵＳＢインタフェースによりホスト側コンピュータとプリンタとを接続し、ＳＯＦ（Ｓｔａｒｔ  Ｏｆ  Ｆｒｅｍｅ）監視手段と信号線電位監視手段とを備えて、異常検出時には、信号線の終端抵抗の切り離しと再接続とを行って、ホスト側コンピュータに対して、再接続動作を実現する手段が提案されている（例えば、特許文献３参照）。
【０００４】
又シャッター制御装置と複数のシャッター操作盤とをＵＳＢインタフェースによりＬＡＮ等を介して接続し、且つ操作パネルや各種センサ等をシャッター制御装置とＵＳＢインタフェースにより接続し、シャッター操作盤を含むシステムの制御及び監視を可能とする構成が提案されている（例えば、特許文献４参照）。
【特許文献１】特開２００２−２０２８９７号公報
【特許文献２】特開２００５−２５０９７９号公報
【特許文献３】特開２００６−１７１８６８号公報
【特許文献４】特開２００７−３９８７６号公報
【発明の開示】
【発明が解決しようとする課題】
【０００５】
各種の電子機器を、遠隔地の無人の場所に設置した場合、その電子機器が正常動作状態か否かを監視し、異常発生検出時には、保守者又は保守者が常駐する保守センタに通知し、保守者による復旧処置をとることが要望される場合が多いものである。その為に、被監視装置としての電子機器の設置箇所に、通信機能を有し、且つＬＡＮ、公衆網、専用網等のネットワークを介して、保守者又は保守センタに通知できる監視装置を設けることは前述の特許文献にも開示されているように、各種の分野に適用されている。しかし、小規模のシステムの場合、監視装置の設置スペースとコストアップとの問題や、被監視機器に対して、状態情報を出力する為のソフトウェアの実装等によるコストアップの問題等がある。従って、小規模システムの電子機器に対する監視システムを構築することは困難であった。
【０００６】
本発明は、前述の従来の問題点を解決することを目的とし、小規模システムの電子機器に対する監視を簡単且つ小型の装置で実現するものである。
【課題を解決するための手段】
【０００７】
本発明の監視装置は、被監視機器のＵＳＢインタフェースを介して接続する監視装置であって、被監視機器のＵＳＢインタフェースと接続するＵＳＢインタフェースと、このＵＳＢインタフェースを介して被監視機器から充電され、内部に動作電力を供給するバッテリと、被監視機器のＵＳＢインタフェースを介してバッテリを充電する電圧の異常を検出する電圧検出部と、保守者又は保守センタとの間の通信を可能とする無線送受信部と、電圧検出部による電圧異常検出時に、無線送受信部から被監視機器の異常発生メッセージを送信する制御を行う制御部とを備えている。
【０００８】
又被監視機器のＵＳＢインタフェースを介して接続する監視装置であって、被監視機器のＵＳＢインタフェースと接続するＵＳＢインタフェースと、このＵＳＢインタフェースを介して被監視機器から充電され、内部に動作電力を供給するバッテリと、被監視機器のＵＳＢインタフェースを介してバッテリを充電する電圧の異常を検出する電圧検出部と、保守者又は保守センタとの間の通信を可能とする無線送受信部と、被監視機器とＵＳＢインタフェースを介して所定時間間隔で通信可能か否かを検出する信号検出部と、電圧検出部による電圧異常検出時及び信号検出部による所定時間間隔の通信が不可能の異常検出時に、無線送受信部から被監視機器の異常発生メッセージを送信する制御を行う制御部とを備えている。
【０００９】
又前記制御部は、電圧検出部又は信号検出部による異常検出時に異常発生メッセージを送信した後の異常回復時に、復旧メッセージを送信する機能を備えることができる。又前記無線送受信部から保守者又は保守センタへメッセージを送信する宛先情報を保持した記憶部を備えることができる。又前記被監視機器の保守点検時に操作して、保守者又は保守センタへのメッセージ送信制御を停止するスイッチを設けることができる。
【発明の効果】
【００１０】
ＵＳＢインタフェースを有する被監視機器に対して、ＵＳＢコネクタにより監視装置を簡単に接続することが可能であり、被監視機器の動作電源の異常を検出して、保守者又は保守センタに異常発生メッセージを送信して通知することができ、又被監視機器との間で、定期的な通信を行うように設定することにより、電源異常と共に内部動作異常も検出することが可能となる。
【発明を実施するための最良の形態】
【００１１】
本発明の監視装置は、図１を参照すると、被監視機器２のＵＳＢインタフェース３を介して接続する監視装置１であって、被監視機器２のＵＳＢインタフェース３と接続するＵＳＢインタフェース４と、このＵＳＢインタフェース４を介して被監視機器２から充電され、内部に動作電力を供給するバッテリ６と、被監視機器２のＵＳＢインタフェース３を介してバッテリ６を充電する電圧の異常を検出する電圧検出部５と、保守者又は保守センタとの間の通信を可能とする無線送受信部９と、電圧検出部５による電圧異常検出時に、無線送受信部９から被監視機器２の異常発生メッセージを送信する制御を行う制御部７とを含む構成を有するものである。
【実施例１】
【００１２】
図１は、本発明の実施例１の説明図であり、１は無線通信モジュール化した監視装置、２は被監視機器、３，４はＵＳＢインタフェース（ＵＳＢＩＦ）、５は電圧検出部、６はバッテリ、７は制御部、８は記憶部、９は無線送受信部、１０は電力供給線、１１は信号線、１２はネットワークを示す。このネットワーク１２は、無線送受信部９との間で無線により送受信する例えば基地局相当の無線局（図示を省略）と、保守者又は保守センタ（図示を省略）との間を接続することができる。又はネットワーク１２は、既に知られている無線ＬＡＮとすることも可能である。又ＵＳＢインタフェース３，４間は、ＵＳＢコネクタとして知られている構成により接続することができる。
【００１３】
被監視機器２は、図示を省略している商用交流電源からの電力で動作するコンピュータ等の各種の電子機器であり、ＵＳＢインタフェース３を有するものである。又監視装置１は、ＵＳＢインタフェース４を有し、ＵＳＢコネクタにより、被監視機器２のＵＳＢインタフェース３と監視装置１のＵＳＢインタフェース４とを接続する。このＵＳＢインタフェース３，４間のＵＳＢバスは、電力供給線１０と信号線１１とを含むものである。又監視装置１のバッテリ６は、被監視機器２から電力供給線１０を介して充電され、このバッテリ６から監視装置１内の各部に動作電力を供給する。このバッテリ６の容量は、停電等により被監視機器２から電力供給線１０を介した供給電力断時に、無線送受信部９からネットワーク１２を介して保守者又は保守センタへ障害発生メッセージを送信可能とするように選定される。
【００１４】
又電圧検出部５は、電力供給線１０を介して被監視機器２から供給される例えば直流５Ｖの電圧を監視し、この電圧が設定値以下に低下したことを検出すると、被監視機器２の電源異常又は電源断と判定し、制御部７へ通知する機能を備えている。又記憶部８は、不揮発性メモリ等により構成し、異常検出時のメッセージ送信先、即ち、保守者の電話番号や保守センタの電話番号或いはインターネットを介して送信する場合のアドレス等を格納している。又制御部７は、ＵＳＢインタフェース３，４間の通信異常や電圧検出部５による電圧低下或いは停電の検出の通知により、無線送受信部９を制御して、記憶部８に記憶されている送信先へ異常検出メッセージを送信する。この場合、一般の通信プロトコルに従って、無線送受信部９から保守者又は保守センタにアクセスし、応答を受信することにより、異常検出メッセージを送信することができる。
【００１５】
この実施例１に於いては、監視装置１の電圧検出部５により、被監視機器２のＵＳＢインタフェース３を介して供給される直流の電圧が正常であるか否かを監視し、所定の電圧から設定値以下に低下した場合に、被監視機器２の電源断や内部異常発生と判断して、保守者又は保守センタに異常発生を通知するもので、被監視機器２は、既存の構成を全く変更することなく、監視装置１をＵＳＢコネクタにより接続するだけで、被監視機器２の正常性を監視し、電源の異常検出時に保守者又は保守センタへ通知することが可能となり、迅速に復旧作業を行うことができる。
【００１６】
又異常検出メッセージを送信後、自動的に復旧した場合、即ち、電圧検出部５により給電電圧が正常に復帰したことを検出した時、制御部７は、無線送受信部９から保守者又は保守センタへ復旧メッセージを送信する。それにより、保守者又は保守センタに於いては、保守作業は不要と判断することができる。又無線送受信部９により、例えば、携帯電話システムを利用して、ネットワーク１２と接続することが可能であるから、監視装置１とネットワーク１２との間の伝送線路接続を行う必要がなく、簡単且つ経済的な監視システムを構築することができる。又被監視機器２に監視装置１を接続した状態で、被監視機器２の保守作業を行う場合、電圧検出部５により異常を検出することになるから、図示を省略した例えば、押しボタンスイッチやスライドスイッチ等を操作して、異常検出メッセージの送信を行わないように、制御部７による無線送受信部９の送信制御動作を停止させることができる。
【実施例２】
【００１７】
図２は、本発明の実施例２の説明図であり、２１は無線通信モジュール化した監視装置、２２は被監視機器、２３，２４はＵＳＢインタフェース（ＵＳＢＩＦ）、２５は電圧検出部、２６はバッテリ、２７は制御部、２８は記憶部、２９は無線送受信部、３０は電力供給線、３１は信号線、３２はアプリケーション、３３は信号検出部、３４はタイマ、３５はネットワークを示す。
【００１８】
この実施例２は、前述の実施例１の構成に、信号検出部３３とタイマ３４とを追加し、記憶部２８に、メッセージ送信先と共にタイマ３４の上限値を記憶させた構成に相当し、又被監視機器２２に、定期的に正常動作中を示すデータを送出するアプリケーション３２を設ける。監視装置２１のタイマ３４は、例えば、所定周期の内部のクロック信号をカウントアップするカウンタ構成又はソフト的にカウントするソフトカウンタの構成とすることができるものであり、そのカウント値を制御部２７に通知する。制御部２７は、通知されたカウント値が、記憶部２８に記憶させた上限値を超えたか否かを判定し、上限値を超えた時に、被監視機器２２に異常が発生したと判定する。なお、タイマ３４は、信号検出部３３により、被監視機器２２のアプリケーション３２による定期的なデータを受信検出した時にクリアし、再びカウント動作を開始する。
【００１９】
電圧検出部２５は、電力供給線３０を介して被監視機器２２から供給される例えば直流５Ｖ（５Ｖ  ＤＣ）の電圧を監視し、この電圧が設定値以下に低下したことを検出すると、被監視機器２の電源異常又は電源断と判定して、制御部２７へ通知し、制御部２７の制御により、無線送受信部２９から保守者又は保守センタへ異常発生メッセージを送信する構成及び作用は、前述の実施例１と同様である。又信号検出部３３は、前述のように、被監視機器２２のアプリケーション３２により定期的に送出するデータを、ＵＳＢインタフェース２４を介して受信検出すると、タイマ３４をリセットし、カウント動作を再開させ、制御部２７は、タイマ３４のカウント値と、記憶部２８に記憶させた上限値とを比較し、この上限値をカウント値が超えた場合、被監視機器２２の内部異常と判定し、この制御部２７の制御により、無線送受信部２９から異常検出メッセージを保守者又は保守センタへ送出する。
【００２０】
又被監視機器２２に監視装置２１を接続した状態で、被監視機器２２の保守作業を行う場合、電圧検出部２５と信号検出部３３とによる検出に従って制御部２７の制御による異常検出メッセージ送出を一時的に停止させる為の押しボタンスイッチやスライドスイッチ等を操作して、異常検出メッセージの送信を行わないように、制御部２７に指示することができる。又給電電圧低下又はタイマ３４の上限値を超えて定期的データを受信できないことを検出して、異常検出メッセージを送信後、自動的に復旧する場合がある。その場合、制御部２７は、無線送受信部２９から保守者又は保守センタへ復旧メッセージを送信する。それにより、保守者又は保守センタに於いては、保守作業は不要と判断することができる。又無線送受信部２９は、例えば、携帯電話システムを利用して、ネットワーク３５と接続することが可能であるから、簡単且つ経済的な監視システムを構築することができる。
【００２１】
図３は、本発明の実施例２のフローチャートを示し、信号検出部３３とタイマ３４と制御部２７と無線送受信部２９とを含む構成の動作の要点を示すもので、タイマ３４のカウントを開始し（Ａ１）、タイマ上限値を超えたか否か、即ち、制御部２７により、タイマ３４のカウント値が記憶部２８に設定したタイマ上限値を超えたか否かを判定し（Ａ２）、超えていない場合は、タイマ３４のカウントアップを行い（Ａ３）、被監視機器２２からの定期的なデータを受信したか否かを信号検出部３３により判定し（Ａ４）、受信していない場合は、ステップ（Ａ２）に移行して、タイマ３４のカウント値がタイマ上限値を超えたか否かを判定する。又タイマ上限値を超えた場合は、制御部２７は、記憶部２８に格納した送信先の保守者又は保守センタへ異常通知メッセージ（異常検出メッセージ）を発信するように無線送受信部２９を制御する（Ａ６）。そして、ステップ（Ａ４）と同様に、被監視機器２２からの定期的なデータを受信したか否かを判定し（Ａ７）、受信した場合は、被監視機器２２が正常に復旧したと判定して、前述の保守者又は保守センタへ、無線送受信部２９から復旧メッセージを送信し（Ａ８）、ステップ（Ａ１）に戻って、前述の監視処理を行う。
【００２２】
監視装置２１は、例えば、ＵＳＢコネクタを一体型とし、無線送受信部２９に、内蔵型又は外付けのアンテナを設けた構成とすることも可能である。又被監視機器２２と接続する為のＵＳＢインタフェース２４の外に、更に他の周辺機器を接続する為のＵＳＢインタフェースとコネクタとを設けることも可能である。
【図面の簡単な説明】
【００２３】
【図１】本発明の実施例１の説明図である。
【図２】本発明の実施例２の説明図である。
【図３】本発明の実施例２のフローチャートである。
【符号の説明】
【００２４】
１  監視装置
２  被監視機器
３，４  ＵＳＢインタフェース（ＵＳＢＩＦ）
５  電圧検出部
６  バッテリ
７  制御部
８  記憶部
９  無線送受信部
１０  電力供給線
１１  信号線
１２  ネットワーク
【図１】
2009042872.tif 000003
【図２】
2009042872.tif 000004
【図３】
2009042872.tif 000005